(57)【特許請求の範囲】
【請求項１】
コンテンツ送信装置が接続可能なコンテンツ送受信装置と、該コンテンツ送受信装置に接続可能なコンテンツ受信装置とを備えるコンテンツ送受信システムであって、
該コンテンツ送受信装置が、
該コンテンツ送信装置からコンテンツデータを受信するコンテンツ受信手段と、
該コンテンツデータを該コンテンツ受信装置に送信するコンテンツ送信手段と、
該コンテンツ受信装置と認証する認証手段と、
該コンテンツ送受信装置が、該コンテンツデータを該コンテンツ受信装置に送信可能な第１機器であるか、又は、該コンテンツデータを該コンテンツ受信装置に送信不可能な第２機器であるかを示す機器情報を記憶する機器情報記憶手段と、
該認証手段が該コンテンツ受信装置との認証に失敗する動作状態に該コンテンツ受信装置が移行する旨の通知を、該コンテンツ受信装置から受信する通知受信手段と、
該通知受信手段が該通知を受信したか否かを判断する判断手段と、
該判断手段によって該通知を受信したと判断されたとき、該機器情報記憶手段に記憶されている該機器情報を、該第１機器から該第２機器に変更する設定手段とを有し、
該コンテンツ受信装置が、
該コンテンツ送受信装置から該コンテンツを受信する第２コンテンツ受信手段と、
該認証手段が該コンテンツ受信装置との認証に失敗する動作状態に該コンテンツ受信装置が移行するか否かを判断する第２判断手段と、
該第２判断手段によって該動作状態に移行すると判断されたとき、該認証手段が該コンテンツ受信装置との認証に失敗する動作状態に該コンテンツ受信装置が移行する旨の通知を、該コンテンツ送受信装置に送信する通知送信手段とを有する、コンテンツ送受信システム。
【請求項２】
前記認証手段が前記コンテンツ受信装置との認証に失敗する動作状態が、前記コンテンツ受信装置の電源オフ状態またはスタンバイ状態、あるいは、前記第２コンテンツ受信手段に前記コンテンツ送受信装置から送信されるコンテンツデータ以外のコンテンツデータを選択的に受信させる状態である、請求項１に記載のコンテンツ送受信システム。
【請求項３】
前記コンテンツ送受信装置が、前記コンテンツ送信装置に対してホットプラグ信号を出力するホットプラグ信号出力手段をさらに有し、
前記通知受信手段が、前記認証手段が前記コンテンツ受信装置との認証に失敗する動作状態に前記コンテンツ受信装置が移行する旨の通知を受信した場合に、前記ホットプラグ信号出力手段が、ホットプラグ信号をローレベルにし、前記設定手段によって前記機器情報が前記第２機器に変更された後、ホットプラグ信号をハイレベルにする、請求項１または２に記載のコンテンツ送受信システム。
【請求項４】
前記コンテンツ送信装置が、前記機器情報記憶手段から前記機器情報を読み出す機器情報読出手段と、前記コンテンツ送受信装置と認証する第２認証手段とを有し、
読み出した該機器情報が前記第１機器である場合には、該第２認証手段が、前記コンテンツ送受信装置の認証情報と、前記コンテンツ受信装置の認証情報とを、該コンテンツ送受信装置から取得できたとき、該コンテンツ送受信装置との認証に成功し、該コンテンツ受信装置の認証情報を該コンテンツ送受信装置から取得できないとき、該コンテンツ送受信装置との認証に失敗し、
読み出した該機器情報が前記第２機器である場合には、該第２認証手段が、該コンテンツ送受信装置のみの認証情報を取得できたとき、該コンテンツ送受信装置との認証に成功する、請求項１〜３のいずれかに記載のコンテンツ送受信システム。
【請求項５】
請求項１〜４のいずれかに記載のコンテンツ送受信システムにおける前記コンテンツ受信装置であって、
前記コンテンツ送受信装置からコンテンツを受信する第２コンテンツ受信手段と、
前記認証手段が該コンテンツ受信装置との認証に失敗する動作状態に該コンテンツ受信装置が移行するか否かを判断する第２判断手段と、
該第２判断手段によって該動作状態に移行すると判断されたとき、該認証手段が該コンテンツ受信装置との認証に失敗する動作状態に該コンテンツ受信装置が移行する旨の通知を、該コンテンツ送受信装置に送信する通知送信手段とを有する、コンテンツ受信装置。
【請求項６】
請求項５に記載のコンテンツ受信装置を動作させるコンピュータプログラムであって、
前記認証手段が該コンテンツ受信装置との認証に失敗する動作状態に該コンテンツ受信装置が移行するか否かを判断するステップと、
該動作状態に移行すると判断されたとき、該認証手段が該コンテンツ受信装置との認証に失敗する動作状態に該コンテンツ受信装置が移行する旨の通知を、該コンテンツ送受信装置に送信するステップとをコンピュータに実行させる、コンテンツ受信装置の動作プログラム。
【請求項７】
コンテンツ送信装置とコンテンツ受信装置とが接続可能なコンテンツ送受信装置であって、
該コンテンツ送信装置からコンテンツデータを受信するコンテンツ受信手段と、
該コンテンツデータを該コンテンツ受信装置に送信するコンテンツ送信手段と、
該コンテンツ受信装置と認証する認証手段と、
該コンテンツ送受信装置が、該コンテンツデータを該コンテンツ受信装置に送信可能な第１機器であるか、又は、該コンテンツデータを該コンテンツ受信装置に送信不可能な第２機器であるかを示す機器情報を記憶する機器情報記憶手段と、
該認証手段が該コンテンツ受信装置との認証に失敗する動作状態に該コンテンツ受信装置が移行する旨の通知を、該コンテンツ受信装置から受信する通知受信手段と、
該通知受信手段が該通知を受信したか否かを判断する判断手段と、
該判断手段によって該通知を受信したと判断されたとき、該機器情報記憶手段に記憶されている該機器情報を、該第１機器から該第２機器に変更する設定手段とを備える、コンテンツ送受信装置。
【請求項８】
請求項７に記載のコンテンツ送受信装置を動作させるコンピュータプログラムであって、
前記コンテンツ受信装置から、該認証手段が該コンテンツ受信装置との認証に失敗する動作状態に該コンテンツ受信装置が移行する旨の通知を受信したか否かを判断するステップと、
該通知を受信したと判断されたとき、該機器情報記憶手段に記憶されている機器情報を、該コンテンツデータを該コンテンツ受信装置に送信可能な第１機器から、該コンテンツデータを該コンテンツ受信装置に送信不可能な第２機器に変更するステップとをコンピュータに実行させる、コンテンツ送受信装置の動作プログラム。
【請求項９】
コンテンツ送信装置と、該コンテンツ送信装置に接続されるコンテンツ送受信装置と、該コンテンツ送受信装置に接続されるコンテンツ受信装置とを備えるコンテンツ送受信システムにおける認証方法であって、
該コンテンツ送受信装置が該コンテンツ受信装置との認証に失敗する動作状態に該コンテンツ受信装置が移行する際に、該コンテンツ受信装置から該コンテンツ送受信装置にその旨の通知を送信するステップと、
該コンテンツ送受信装置において、該通知を受信した場合に、機器情報記憶手段に記憶されている機器情報を、該コンテンツデータを該コンテンツ受信装置に送信可能な第１機器から該コンテンツデータを該コンテンツ受信装置に送信不可能な第２機器に変更するステップと、
該コンテンツ送信装置において、該コンテンツ送受信装置から該機器情報を取得して、該機器情報が該第２機器であることを判別するステップと、
該コンテンツ送信装置において、該コンテンツ送受信装置から該コンテンツ送受信装置の認証情報を取得して、該コンテンツ送受信装置との認証を実行するステップとを含む、コンテンツ送受信システムにおける認証方法。
【発明の詳細な説明】
【技術分野】
【０００１】
本発明は、コンテンツ送信装置が接続可能なコンテンツ送受信装置と、該コンテンツ送受信装置が接続可能なコンテンツ受信装置とを備えるコンテンツ送受信システム等に関する。
【背景技術】
【０００２】
最近、ＨＤＭＩ規格に準拠したソース機器（コンテンツ送信装置）であるＤＶＤプレーヤと、リピーター機器（コンテンツ送受信装置）であるＡＶアンプと、シンク機器（コンテンツ受信装置）であるディスプレイ装置とを備えるコンテンツ送受信システムが利用されており、ソース機器から出力されるＨＤＭＩデータに映像データ及び音声データを含めることにより、１本のＨＤＭＩケーブルによって映像データ及び音声データの両方をリピーター機器又はシンク機器に送信することができる。ＡＶアンプは、ＤＶＤプレーヤから受信したＨＤＭＩデータを元の映像データ及び音声データに変換し、音声データを増幅してスピーカーに出力すると共に、映像データを再度ＨＤＭＩデータに変換し、ディスプレイ装置に送信する。ディスプレイ装置は、受信したＨＤＭＩデータを元の映像データに変換して表示する。
【０００３】
これらの機器で送受信されるＨＤＭＩデータは、ＨＤＣＰ（Ｈｉｇｈ−ｂａｎｄｗｉｄｔｈ  Ｄｉｇｉｔａｌ 
Ｃｏｎｔｅｎｔｓ  Ｐｒｏｔｅｃｔｉｏｎ）によって暗号化されており、ＨＤＭＩ送信部とＨＤＭＩ受信部との間でＨＤＣＰ認証に成功して初めて、ＨＤＭＩデータが送受信されるようになっている（下記特許文献１）。従って、ＨＤＭＩ送信部とＨＤＭＩ受信部との間でＨＤＣＰ認証に失敗した場合は、ＨＤＭＩデータが送信されない。
【０００４】
詳細には、ＤＶＤプレーヤは、ＡＶアンプのレジスタからＡＶアンプの認証情報とリピータービットとを読み出す。リピータービットは、リピーター機器であるかシンク機器であるかを示す情報である。ここでは、ＡＶアンプから読み出したリピータービットはリピーター機器であることを示しており、ＤＶＤプレーヤは、ＡＶアンプの下流に接続されているディスプレイ装置の認証情報をＡＶアンプが取得したことを示す情報が、ＡＶアンプから送信されるのを待ち受ける。
【０００５】
ＡＶアンプは、ディスプレイ装置のレジスタからディスプレイ装置の認証情報を読み出し、ディスプレイ装置との認証に成功する。また、ＡＶアンプは、ディスプレイ装置の認証情報を取得したことを示す情報を、ＤＶＤプレーヤに送信する。ディスプレイ装置は、これに応答し、ＡＶアンプのレジスタからディスプレイ装置の認証情報を読み出して、ＡＶアンプ及びディスプレイ装置の認証情報に基づいて、ＡＶアンプとの認証に成功する。
【０００６】
【特許文献１】特開２００７−２８８２４７号公報
【発明の開示】
【発明が解決しようとする課題】
【０００７】
ＤＶＤプレーヤからＡＶアンプに送信されるＨＤＭＩデータに含まれる映像データは、静止画等の音声データに対する付属データである場合がある。このような場合、ユーザは、ＡＶアンプからスピーカーを介して音声を出力できればよく、付属の静止画をディスプレイ装置に表示することを望まない場合に、ディスプレイ装置の電源をオフ状態（スタンバイ状態）にすることがある。このとき、ＡＶアンプはディスプレイ装置とのＨＤＣＰ認証に失敗し、これにより、ＤＶＤプレーヤもＡＶアンプとのＨＤＣＰ認証に失敗し、その結果、ＤＶＤプレーヤからＡＶアンプにＨＤＭＩデータが送信されなくなり、ＡＶアンプから音声を出力できなくなる。以下、ＨＤＣＰ認証に失敗する理由を、詳細に説明する。
【０００８】
ＡＶアンプは、ディスプレイ装置から出力されるホットプラグ信号に基づいて、ディスプレイ装置の動作状態をある程度判別することができる。すなわち、ホットプラグ信号がローレベルであれば、ディスプレイ装置がアクティブ（ＨＤＭＩデータを受信して処理できる状態）でない、又は、ディスプレイ装置が接続されていないと判断できる。一方、ホットプラグ信号がハイレベルであれば、ディスプレイ装置が接続されていることを判断できるが、ディスプレイ装置がアクティブであるか否かまでは判断することができない。ディスプレイ装置の仕様によって異なるからである。
【０００９】
そこで、ＡＶアンプは、ディスプレイ装置からのホットプラグ信号がハイレベルであれば、ディスプレイ装置がアクティブであると推定して、ＨＤＭＩデータをディスプレイ装置に送信するために、ＨＤＣＰ認証を試みる。ここで、ディスプレイ装置の電源がオフ状態にされるとき、ディスプレイ装置からのホットプラグ信号がローレベルに反転し、その後ハイレベルに反転する。ディスプレイ装置のホットプラグ信号がローレベルからハイレベルに反転すると、ＡＶアンプおよびＤＶＤプレーヤが再度ＨＤＣＰ認証を試みる。
【００１０】
しかし、上記のように、ディスプレイ装置が電源オフ状態にされアクティブでない場合には、ディスプレイ装置のレジスタからディスプレイ装置の認証情報を読み出せないので、ＡＶアンプはディスプレイ装置とのＨＤＣＰ認証に失敗する。
【００１１】
ここで、ＨＤＭＩ規格では、ＡＶアンプなどのリピーター機器は、ディスプレイ装置などのシンク機器とのＨＤＣＰ認証に失敗した場合には、ソース機器に対してもＨＤＣＰ認証を失敗させなければならないよう、定められている。すなわち、ＨＤＭＩケーブルを介して相互に接続される機器の中で、１つでもＨＤＣＰ認証に失敗するような不正機器が接続されている場合には、ソース機器はＨＤＭＩデータを出力しないことによって、ＨＤＭＩデータが不正に送信されることを防止している。
【００１２】
これにより、ディスプレイ装置とＨＤＣＰ認証に失敗したＡＶアンプは、ＤＶＤプレーヤにもＨＤＣＰ認証を失敗させる。詳細には、ＤＶＤプレーヤは、ＡＶアンプのレジスタからＡＶアンプの認証情報およびリピータービットを読み出す。ここでは、ＡＶアンプから読み出したリピータービットはリピーター機器であるので、ＤＶＤプレーヤは、ディスプレイ装置の認証情報を読み出すために、ディスプレイ装置の認証情報をＡＶアンプが取得したことを示す情報がＡＶアンプから送信されるのを待ち受ける。しかし、ＡＶアンプはディスプレイ装置から認証情報を読み出せないので、ＤＶＤプレーヤは、ＡＶアンプからディスプレイ装置の認証情報を読み出すことができず、その結果、ＡＶアンプとの認証に失敗する。
【００１３】
従って、ＤＶＤプレーヤは、ＡＶアンプに対してＨＤＭＩデータを送信しなくなり、その結果、ＡＶアンプはＨＤＭＩデータに含まれる音声データを出力できなくなる。従って、ユーザがディスプレイの電源をオフ状にすると、ＡＶアンプに接続されているスピーカーから音声が出力されなくなり、ＡＶアンプを使って音楽だけを聴くということができない。
【００１４】
なお、このような問題は、ディスプレイ装置に複数のソース機器やリピーター機器が接続されている場合に、ディスプレイ装置の入力セレクタがＡＶアンプから他の機器又はＴＶチューナ等に切り換えられた場合にも同様に生じる。
【００１５】
本発明の目的は、例えばディスプレイ装置が電源オフ状態になる等によって、ＡＶアンプ（コンテンツ送受信装置）がディスプレイ装置（コンテンツ受信装置）と認証できなくなる場合であっても、ＤＶＤプレーヤ（コンテンツ送信装置）からＡＶアンプにコンテンツデータを送信することができるコンテンツ送受信システムを提供することである。
【課題を解決するための手段】
【００１６】
本発明の好ましい実施形態によるコンテンツ送受信システムは、コンテンツ送信装置が接続可能なコンテンツ送受信装置と、該コンテンツ送受信装置に接続可能なコンテンツ受信装置とを備え、該コンテンツ送受信装置が、該コンテンツ送信装置からコンテンツデータを受信するコンテンツ受信手段と、該コンテンツデータを該コンテンツ受信装置に送信するコンテンツ送信手段と、該コンテンツ受信装置と認証する認証手段と、該コンテンツ送受信装置が、該コンテンツデータを該コンテンツ受信装置に送信可能な第１機器であるか、又は、該コンテンツデータを該コンテンツ受信装置に送信不可能な第２機器であるかを示す機器情報を記憶する機器情報記憶手段と、該認証手段が該コンテンツ受信装置との認証に失敗する動作状態に該コンテンツ受信装置が移行する旨の通知を、該コンテンツ受信装置から受信する通知受信手段と、該通知受信手段が該通知を受信したか否かを判断する判断手段と、該判断手段によって該通知を受信したと判断されたとき、該機器情報記憶手段に記憶されている該機器情報を、該第１機器から該第２機器に変更する設定手段とを有し、該コンテンツ受信装置が、該コンテンツ送受信装置から該コンテンツを受信する第２コンテンツ受信手段と、該認証手段が該コンテンツ受信装置との認証に失敗する動作状態に該コンテンツ受信装置が移行するか否かを判断する第２判断手段と、該第２判断手段によって該動作状態に移行すると判断されたとき、該認証手段が該コンテンツ受信装置との認証に失敗する動作状態に該コンテンツ受信装置が移行する旨の通知を、該コンテンツ送受信装置に送信する通知送信手段とを有する。
【００１７】
コンテンツ受信装置は、コンテンツ送受信装置がコンテンツ受信装置との認証に失敗する動作状態に自身が移行すると判断すると、その旨を示す通知をコンテンツ送受信装置に送信する。コンテンツ送受信装置は、当該通知を受信すると、機器情報を第１機器から第２機器に変更する。従って、コンテンツ送信装置は、コンテンツ送受信装置から機器情報を取得して、コンテンツ送受信装置が第２機器であることを判別するので、コンテンツ送受信装置の認証情報のみに基づいて、コンテンツ送受信装置との認証に成功する。すなわち、コンテンツ送信装置がコンテンツ送受信装置と認証するにあたって、コンテンツ受信装置の認証情報が不要となる。従って、コンテンツ送受信装置がコンテンツ受信装置と認証できなくなるような動作状態にコンテンツ受信装置が移行しても、コンテンツ送信装置がコンテンツ送受信装置との認証に成功し、コンテンツ送信装置からコンテンツ送受信装置にコンテンツデータを送信することができる。
【００１８】
好ましい実施形態においては、前記認証手段が前記コンテンツ受信装置との認証に失敗する動作状態が、前記コンテンツ受信装置の電源オフ状態またはスタンバイ状態、あるいは、前記第２コンテンツ受信手段に前記コンテンツ送受信装置から送信されるコンテンツデータ以外のコンテンツデータを選択的に受信させる状態である。
【００１９】
この場合、コンテンツ受信装置を電源オフ状態（またはスタンバイ状態）に移行させても、あるいは、コンテンツ受信装置にコンテンツ送受信装置からのコンテンツ以外のコンテンツを受信させる状態に移行させても、コンテンツ送信装置がコンテンツ送受信装置との認証に成功するので、コンテンツ送受信装置はコンテンツ装置からコンテンツデータを受信して再生することができる。
【００２０】
好ましい実施形態においては、前記コンテンツ送受信装置が、前記コンテンツ送信装置に対してホットプラグ信号を出力するホットプラグ信号出力手段をさらに有し、前記通知受信手段が、前記認証手段が前記コンテンツ受信装置との認証に失敗する動作状態に前記コンテンツ受信装置が移行する旨の通知を受信した場合に、前記ホットプラグ信号出力手段が、ホットプラグ信号をローレベルにし、前記設定手段によって前記機器情報が前記第２機器に変更された後、ホットプラグ信号をハイレベルにする。
【００２１】
この場合、コンテンツ送受信装置がコンテンツ受信装置から前記通知を受信したとき、ホットプラグ信号をローベルにし、機器情報を第２機器に変更した後、ホットプラグ信号をハイレベルにするので、これに応答して、コンテンツ送信装置は、コンテンツ送受信装置との認証を行い、コンテンツ送受信装置を第２機器と見なして、コンテンツデータをコンテンツ送受信装置に送信するようになる。
【００２２】
好ましい実施形態においては、前記コンテンツ送信装置が、前記機器情報記憶手段から前記機器情報を読み出す機器情報読出手段と、前記コンテンツ送受信装置と認証する第２認証手段とを有し、読み出した該機器情報が前記第１機器である場合には、該第２認証手段が、前記コンテンツ送受信装置の認証情報と、前記コンテンツ受信装置の認証情報とを、該コンテンツ送受信装置から取得できたとき、該コンテンツ送受信装置との認証に成功し、該コンテンツ受信装置の認証情報を該コンテンツ送受信装置から取得できないとき、該コンテンツ送受信装置との認証に失敗し、読み出した該機器情報が前記第２機器である場合には、該第２認証手段が、該コンテンツ送受信装置のみの認証情報を取得できたとき、該コンテンツ送受信装置との認証に成功する。
【００２３】
本発明の好ましい実施形態によるコンテンツ受信装置の動作プログラムは、前記認証手段が該コンテンツ受信装置との認証に失敗する動作状態に該コンテンツ受信装置が移行するか否かを判断するステップと、該動作状態に移行すると判断されたとき、該認証手段が該コンテンツ受信装置との認証に失敗する動作状態に該コンテンツ受信装置が移行する旨の通知を、該コンテンツ送受信装置に送信するステップとをコンピュータに実行させる。
【００２４】
本発明の好ましい実施形態によるコンテンツ送受信装置の動作プログラムは、前記コンテンツ受信装置から、該認証手段が該コンテンツ受信装置との認証に失敗する動作状態に該コンテンツ受信装置が移行する旨の通知を受信したか否かを判断するステップと、該通知を受信したと判断されたとき、該機器情報記憶手段に記憶されている機器情報を、該コンテンツデータを該コンテンツ受信装置に送信可能な第１機器から、該コンテンツデータを該コンテンツ受信装置に送信不可能な第２機器に変更するステップとをコンピュータに実行させる。
【００２５】
上記プログラムは、例えば、ネットワーク経由や記録媒体を介してファームウェアアップデートという形態で上記コンテンツ送受信装置やコンテンツ受信装置に提供されてもよく、上記プログラムを格納する電子部品という形態で提供されてもよい。
【００２６】
本発明の好ましい実施形態による認証方法は、コンテンツ送信装置と、該コンテンツ送信装置に接続されるコンテンツ送受信装置と、該コンテンツ送受信装置に接続されるコンテンツ受信装置とを備えるコンテンツ送受信システムにおける認証方法であって、該コンテンツ送受信装置が該コンテンツ受信装置との認証に失敗する動作状態に該コンテンツ受信装置が移行する際に、該コンテンツ受信装置から該コンテンツ送受信装置にその旨の通知を送信するステップと、該コンテンツ送受信装置において、該通知を受信した場合に、機器情報記憶手段に記憶されている機器情報を、該コンテンツデータを該コンテンツ受信装置に送信可能な第１機器から該コンテンツデータを該コンテンツ受信装置に送信不可能な第２機器に変更するステップと、該コンテンツ送信装置において、該コンテンツ送受信装置から該機器情報を取得して、該機器情報が該第２機器であることを判別するステップと、該コンテンツ送信装置において、該コンテンツ送受信装置から該コンテンツ送受信装置の認証情報を取得して、該コンテンツ送受信装置との認証を実行するステップとを含む。
【発明の効果】
【００２７】
コンテンツ送受信装置がコンテンツ受信装置と認証できなくなるような動作状態にコンテンツ受信装置が移行しても、コンテンツ送信装置がコンテンツ送受信装置との認証に成功し、コンテンツ送信装置からコンテンツ送受信装置にコンテンツデータを送信することができる。
【発明を実施するための最良の形態】
【００２８】
以下、本発明の好ましい実施形態によるコンテンツ送信装置（ソース機器、ＤＶＤプレーヤ）、コンテンツ送受信装置（リピータ機器、ＡＶアンプ）およびコンテンツ受信装置（シンク機器、ディスプレイ装置）を備えるコンテンツ送受信システムついて、図面を参照して具体的に説明するが、本発明はこれらの実施形態には限定されない。本例において、コンテンツデータは、映像（画像）データおよび／または音声データを含むデータの総称であり、例えばＨＤＭＩデータである。
【００２９】
図１Ａは、ＤＶＤプレーヤ１０およびＡＶアンプ２０の構成を、図１Ｂは、ＡＶアンプ２０（図１Ａと同一）およびディスプレイ装置３０の構成をそれぞれ示す要部ブロック図である。ＤＶＤプレーヤ１０、ＡＶアンプ２０およびディスプレイ装置３０は、例えばＨＤＭＩ規格に準拠しており、ＨＤＭＩケーブルを介して相互に接続されている。
【００３０】
［ＤＶＤプレーヤ１０の構成］
まず図１Ａを参照し、ＤＶＤプレーヤ１０について説明する。ＤＶＤプレーヤ１０は、再生部１１と、解像度変換部１２、ＨＤＭＩ送信部１３と、システム制御部１４と、操作表示部１５と、メモリ１６と、コネクタ部１７とを有している。
【００３１】
再生部１１は、ＤＶＤディスク（以下、単にディスクという。）に記録されている映像データをディスクから読み出して、デコードし、解像度変換部１２に供給する。また、再生部１１は、ディスクに記録されている音声データをディスクから読み出して、デコードし、ＨＤＭＩ送信部１３に供給する。再生部１１は、図示しない光ピックアップ、サーボ回路、ＭＰＥＧデコーダ等を含む。
【００３２】
解像度変換部１２は、再生部１１から供給された映像データの解像度を判別する。また、解像度変換部１２は、判別した映像データの解像度を、システム制御部１４からのコマンドにより、ユーザによって設定された解像度に変換する。解像度変換部１２によって解像度が変換された映像データは、ＨＤＭＩ送信部１３に供給される。
【００３３】
ＨＤＭＩ送信部１３は、解像度変換部１２から供給された映像データ、および、再生部１１から供給された音声データを、システム制御部１４からのコマンドにより、ＨＤＭＩ規格のデータ（以下、ＨＤＭＩデータ）に変換する。また、ＨＤＭＩ送信部１３は、ＨＤＭＩデータをＨＤＣＰ規格に基づいて暗号化する。また、ＨＤＭＩ送信部１３は、ＤＤＣラインを介して、ＡＶアンプ２０のレジスタ２１ａから認証情報およびリピータービットを読み出して、ＨＤＣＰ認証を実行する。ＨＤＭＩ送信部１３は、ＨＤＣＰ認証に成功した場合、ＨＤＭＩデータをコネクタ部１７を介してＡＶアンプ２０に送信するが、ＨＤＣＰ認証に失敗した場合、ＨＤＭＩデータをＡＶアンプ２０に送信しない。
【００３４】
ＨＤＣＰ認証において、ＨＤＭＩ送信部１３は、ＡＶアンプ２０のレジスタ２１ａからＡＶアンプ２０の認証情報およびリピータービットを読み出す。ＨＤＭＩ送信部１３は、読み出した認証情報が正当であれば、ＨＤＭＩ受信部２１との認証に成功する。ＨＤＭＩ送信部１３は、読み出した認証情報が不正である、又は、認証情報を読み出すことができなければ、ＨＤＭＩ受信部２１との認証に失敗する。
【００３５】
認証情報は、例えば、ＨＤＣＰ規格で定められているＫＳＶ（キーセレクトベクター）等を含む。リピータービットは、その機器がリピーター機器（すなわち、他の機器にＨＤＭＩデータを送信可能な機器、第１機器）であるか、シンク機器（すなわち、他の機器にＨＤＭＩデータを送信不可能な機器、第２機器）であるかを示す機器情報であり、値が「１」であるときリピーター機器であることを示し、値が「０」であるときシンク機器であることを示す。
【００３６】
ＨＤＭＩ送信部１３は、ＡＶアンプ２０のリピータービットがリピーター機器を示す「１」であるか否かを判断する。リピータービットが「１」であれば、ＤＶＤプレーヤ１０に接続されている機器の下流にさらなる機器が接続されていると判断されるので、ＨＤＭＩ送信部１３が当該下流機器の認証情報を取得できないと認証に失敗する。すなわち、ＡＶアンプ２０のリピータービットが「１」である場合、ＨＤＭＩ送信部１３は、ＡＶアンプ２０に接続されているディスプレイ装置３０の認証情報をＡＶアンプ２０のレジスタ２１ａから読み出すためのタイマをセットする。タイマカウント中に、ディスプレイ装置３０の認証情報を取得したことを示す情報をＡＶアンプ２０から受信すると、ＨＤＭＩ送信部１３は、ＡＶアンプ２０のレジスタ２１ａから、ディスプレイ装置３０の認証情報を読み出す。そして、ＨＤＭＩ送信部１３は、ＡＶアンプ２０の認証情報とディスプレイ装置２０の認証情報とを確認し、これらが正当であれば、ＡＶアンプ２０との認証に成功する。
【００３７】
一方、タイマカウント中に、ディスプレイ装置３０の認証情報を取得したことを示す情報をＡＶアンプ２０から受信しない場合、ＨＤＭＩ送信部１３は、ＡＶアンプ２０のレジスタ２１ａから、ディスプレイ装置３０の認証情報を読み出すことができない。その結果、ＨＤＭＩ送信部１３は、ＡＶアンプ２０との認証に失敗する。
【００３８】
リピータービットが「０」であれば、ＤＶＤプレーヤ１０に接続されている機器の下流にさらなる機器が接続されていないと判断されるので、ＤＶＤプレーヤ１０に直接接続されている機器の認証情報のみを取得することにより認証に成功する。すなわち、ＡＶアンプ２０のリピータービットが「０」である場合、ＤＶＤプレーヤ１０は、接続されているＡＶアンプ２０がリピーター機器ではなく、シンク機器であると認識して、ディスプレイ装置３０の認証情報を取得する必要なく、ＡＶアンプ２０の認証情報のみに基づいてＡＶアンプ２０との認証に成功することができる。
【００３９】
ＨＤＭＩ送信部１３は、ＨＤＭＩデータを送受信するＴＭＤＳライン（通常は複数存在するが図１、図２では簡単のため１本のラインのみを記載している）、および、接続の有無を判断するためのホットプラグを介して、ＡＶレシーバ２０のＨＤＭＩ受信部２１に接続される。また、ＨＤＭＩ送信部１３は、認証情報やＥＤＩＤを読み出すためのＤＤＣラインを介してＡＶアンプ２０のＨＤＭＩ受信部２１、ＰＲＯＭ２５に接続されている。
【００４０】
システム制御部１４は、内蔵又は接続されたメモリに格納されているＤＶＤプレーヤの動作プログラムに基づいて、再生部１１、解像度変換部１２、ＨＤＭＩ送信部１３、操作表示部１５、メモリ１６等を制御するものであり、例えば、マイクロコンピュータやＣＰＵ等である。システム制御部１４は、操作表示部１５からの操作入力または各部からの制御信号およびデータに基づいて各種処理を実行する。
【００４１】
システム制御部１４は、ＣＥＣラインを介してＡＶアンプ２０のシステム制御部２３に接続され、システム制御部２３とコマンドおよび／またはデータを送受信する。また、システム制御部１４は、ＤＤＣラインを介して、ＡＶアンプ２０のＰＲＯＭ２５に接続され、ＰＲＯＭ２５に記憶されたＥＤＩＤを読み出す。
【００４２】
［ＡＶアンプの構成］
次に、図１Ａ又は図１Ｂを参照し、ＡＶアンプ２０の構成を説明する。ＡＶアンプ２０は、ＨＤＭＩ受信部２１と、ＨＤＭＩ送信部２２と、システム制御部２３と、操作表示部２４と、メモリ（ＥＤＩＤ  ＰＲＯＭ、以下、ＰＲＯＭとする）２５と、音声処理部２６と、コネクタ部２７、２８とを有している。
【００４３】
ＨＤＭＩ受信部２１は、ＤＶＤプレーヤ１０から送信されたＨＤＭＩデータを受信して、ＨＤＣＰ規格で暗号化されたＨＤＭＩデータを復号化する。また、ＨＤＭＩ受信部２１は、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元の音声データを生成して、音声処理部２６に供給する。
【００４４】
ＨＤＭＩ受信部２１はレジスタ（記憶素子）２１ａを有しており、レジスタ２１ａにはＡＶアンプ２０の認証情報およびリピータービットが予め登録されている。ＨＤＣＰ認証において、ＨＤＭＩ受信部２１は、レジスタ２１ａに登録されている認証情報およびリピータービットが、ＤＶＤプレーヤ１０のＨＤＭＩ送信部１３によって読み出される。リピータービットは、システム制御部２３によって「１」又は「０」に変更可能である。
【００４５】
ＨＤＭＩ送信部２２は、ＨＤＭＩ受信部２１から供給された映像データ、および、必要に応じて音声処理部２６から供給された音声データを、ＨＤＭＩデータに変換する。また、ＨＤＭＩ送信部２２は、ＨＤＭＩデータをＨＤＣＰ規格に基づいて暗号化する。また、ＨＤＭＩ送信部２２は、ＤＤＣラインを介して、ディスプレイ装置３０のレジスタ３１ａからディスプレイ装置３０の認証情報を読み出して、ＨＤＣＰ認証を実行する。ＨＤＭＩ送信部２２は、ＨＤＣＰ認証に成功した場合、コネクタ部２８を介してディスプレイ装置３０にＨＤＭＩデータを送信するが、ＨＤＣＰ認証に失敗した場合、ＨＤＭＩデータをディスプレイ装置３０に送信しない。
【００４６】
ＨＤＣＰ認証において、ＨＤＭＩ送信部２２は、ディスプレイ装置３０のレジスタ３１ａからディスプレイ装置３０の認証情報を読み出す。ディスプレイ装置３０の認証情報が正当であれば、ＨＤＭＩ送信部２２はＨＤＭＩ受信部３１とのＨＤＣＰ認証に成功する。ディスプレイ装置３０の認証情報が不正である、又は、認証情報を読み取ることができなければ、ＨＤＭＩ送信部２２はＨＤＭＩ受信部３１とのＨＤＣＰ認証に失敗する。
【００４７】
また、ディスプレイ装置３０から取得したディスプレイ装置３０の認証情報は、例えばＨＤＭＩ受信部２１のレジスタ２１ａに書き込まれる。そして、ＨＤＭＩ受信部２１からＤＶＤプレーヤ１０のＨＤＭＩ送信部１３に対して、ディスプレイ装置３０の認証情報を取得した旨の情報が送信される。これによって、ＤＶＤプレーヤ１０のＨＤＭＩ送信部１３は、ＨＤＭＩ受信部２１のレジスタ２１ａからディスプレイ装置３０の認証情報を読み出す。
【００４８】
ＨＤＭＩ送信部２２は、ＴＭＤＳラインおよびホットプラグを介して、ディスプレイ装置３０のＨＤＭＩ受信部３１に接続されている。また、ＨＤＭＩ送信部２２は、ＤＤＣラインを介してディスプレイ装置３０のＰＲＯＭ３４及びＨＤＭＩ受信部３１に接続されている。
【００４９】
音声処理部２６は、ＨＤＭＩ受信部２１から供給された音声データに対して、信号処理、増幅処理、Ｄ／Ａ変換等の処理を実行し、外部に接続されたスピーカー６０に音声信号を供給する。また、必要に応じて、音声処理部２６は、音声データをＨＤＭＩ送信部２２に供給する。
【００５０】
システム制御部２３は、内蔵又は接続されたメモリに記憶されているＡＶアンプの動作プログラムに基づいて、ＨＤＭＩ受信部２１、ＨＤＭＩ送信部２２、操作表示部２４、ＰＲＯＭ２５、音声処理部２６等を制御するものであり、例えば、マイクロコンピュータやＣＰＵ等である。システム制御部２３は、操作表示部２４からの操作入力または各部からの制御信号およびデータに基づいて各種処理を実行する。
【００５１】
システム制御部２３は、ＣＥＣラインを介してＤＶＤプレーヤ１０のシステム制御部１４に接続され、システム制御部１４とコマンドおよびデータを送受信する。また、システム制御部２３は、ＣＥＣラインを介してディスプレイ装置３０のシステム制御部３３に接続され、システム制御部３３とコマンドおよびデータを送受信する。
【００５２】
システム制御部２３は、ディスプレイ装置３０のシステム制御部３３から、「ＡＶアンプ２０がディスプレイ装置３０とのＨＤＣＰ認証に失敗するような動作状態にディスプレイ装置３０が移行する」旨の通知（詳細後述）を受信すると、自身がリピーター機器ではなくシンク機器であることを、ＤＶＤプレーヤ１０に認識させることにより、ＤＶＤプレーヤ１０におけるＡＶアンプ２０とのＨＤＣＰ認証を維持させる。
【００５３】
詳細には、システム制御部２３は、システム制御部３３から当該通知を受信すると、ＨＤＭＩ受信部２１のレジスタ２１ａのリピータービットを、リピーター機器を示す「１」からシンク機器を示す「０」に変更する。また、ＨＤＭＩ受信部２１は、ＤＶＤプレーヤ１０に対するホットプラグ信号をローレベルにした後、ハイレベルにする。ＤＶプレーヤ１０のＨＤＭＩ送信部１３は、ホットプラグ信号がハイレベルになると、ＨＤＭＩ受信部３１との認証を試みるが、このとき、ＨＤＭＩ受信部２１から取得するリピータービットはシンク機器を示す「０」になっている。従って、ディスプレイ装置３０の認証情報をＤＶＤプレーヤ１０が読み出すことはできなくても、ＨＤＭＩ送信部１３は、ＡＶアンプ２０がシンク機器であると認識しているので、ＡＶアンプ２０の認証情報のみによって、ＨＤＭＩ受信部２１との認証に成功することができる。
【００５４】
［ディスプレイ装置３０の構成］
次に、図１Ｂを参照し、ディスプレイ装置３０について説明する。ディスプレイ装置３０は、ＨＤＭＩ受信部３１と、表示部３２と、システム制御部３３と、メモリ（ＥＤＩＤ  ＰＲＯＭ、以下、ＰＲＯＭとする）３４と、操作部３５と、音声処理部３６と、スピーカー３７と、コネクタ部３８とを有する。
【００５５】
ＨＤＭＩ受信部３１は、ＡＶアンプ２０のＨＤＭＩ送信部２２から送信されたＨＤＭＩデータを受信して、ＨＤＣＰで暗号化されたＨＤＭＩデータを復号化する。また、ＨＤＭＩ受信部３１は、受信したＨＤＭＩデータから元の映像データを生成し、表示部３２に供給する。また、ＨＤＭＩ受信部３１は、ＨＤＭＩデータから元の音声データを生成して、音声処理部３６に供給する。
【００５６】
ＨＤＭＩ受信部３１はレジスタ（記憶素子）３１ａを有しており、レジスタ３１ａにはディスプレイ装置３０の認証情報が予め登録されている。ＨＤＣＰ認証において、ＨＤＭＩ受信部３１は、レジスタ３１ａに登録されている自身の認証情報が、ＡＶアンプ２０のＨＤＭＩ送信部２２によって読み出される。
【００５７】
表示部３２は、ＨＤＭＩ受信部３１から映像データが供給され、当該映像データに基づいて映像を表示するものであり、例えば、ＬＣＤまたはＣＲＴ等である。
【００５８】
音声処理部３６は、ＨＤＭＩ受信部３１から供給された音声データを、信号処理、増幅処理、Ｄ／Ａ変換等の処理を実行し、スピーカー３７に供給する。
【００５９】
システム制御部３３は、内蔵又は接続されたメモリに格納されたディスプレイ装置の動作プログラムに基づいて、ＨＤＭＩ受信部３１、表示部３２、ＰＲＯＭ３４、音声処理部３６等を制御するものであり、例えば、マイクロコンピュータやＣＰＵ等である。システム制御部３３は、操作部３５からの操作入力または各部からの制御信号およびデータに基づいて各種処理を実行する。
【００６０】
システム制御部３３は、ＡＶアンプ２０がディスプレイ装置３０とのＨＤＣＰ認証に失敗するような動作状態にディスプレイ装置が移行する際に、「ＡＶアンプ２０がディスプレイ装置３０とのＨＤＣＰ認証に失敗するような動作状態にディスプレイ装置３０が移行する」旨の通知を、ＣＥＣラインを介してＡＶアンプ２０のシステム制御部２３に送信する。このような動作状態は、ディスプレイ装置３０が電源オフ状態（詳細には、システム制御部３３や操作部３５のみに電源電圧が供給されるスタンバイ状態）に移行すること、又は、セレクタ回路がＡＶアンプ２０から入力されるＨＤＭＩデータを選択しない（すなわち、ＡＶアンプ２０からのＨＤＭＩデータ以外のコンテンツデータを選択させる）状態に移行することである。このような動作状態になると、ＡＶアンプ２０のＨＤＭＩ送信部２２が、ＨＤＭＩ受信部３１のレジスタ３１ａから認証情報を読み出すことができなくなるからである。
【００６１】
ここで、図２を参照して、セレクタ回路について説明する。例えば、ディスプレイ装置３０には、ＨＤＭＩケーブルを介してＡＶアンプ２０及びゲーム機４０が接続され、光ケーブル及びＤＶＩケーブルを介してセットトップボックス５０が接続される。さらに、ディスプレイ装置３０がＴＶ受像機の場合、チューナ回路３９を備えている。ディスプレイ装置３０は、ＡＶアンプ２０、ゲーム機４０、セットトップボックス５０から入力されるコンテンツデータ、及び、チューナ回路３９が受信するコンテンツデータの中から、１つのコンテンツデータを選択的に受信するセレクタ回路４０を有している。
【００６２】
セレクタ回路４０は複数の選択状態（本例では、選択状態１〜４）を有し、選択状態１は、ＡＶアンプ２０が接続された入力端子に割り当てられ、選択状態２は、ゲーム機４０が接続された入力端子に割り当てられ、選択状態３は、セットトップボックス５０が接続された入力端子に割り当てられ、選択状態４は、チューナ回路３９に割り当てられている。この場合、セレクタ回路４０の選択状態が、選択状態１から選択状態２〜４に変更されることが、上記の「ＡＶアンプ２０がディスプレイ装置３０とのＨＤＣＰ認証に失敗する動作状態にディスプレイ装置３０が移行する」に該当する。
【００６３】
［動作］
以下、本発明の動作を図３〜図５を参照して、説明する。
［ディスプレイ装置３０の動作］
図３は、ディスプレイ装置３０のシステム制御部３３の処理を示すフローチャートである。システム制御部３３は、電源オフ状態になるユーザ指示が入力されて、ディスプレイ装置３０が電源オフ状態になる（又は電源オフ状態になった）か否かを判断する（Ｓ１）。電源オフ状態になると判断されると（Ｓ１でＹＥＳ）、システム制御部３３は、ＣＥＣラインを介して、ＡＶアンプ２０のシステム制御部２３に対して、ディスプレイ装置３０が電源オフ状態になる旨の通知を送信する（Ｓ４）。
【００６４】
また、システム制御部３３は、ユーザ操作によって、セレクタ回路３６の選択状態が、ＡＶアンプ２０からのＨＤＭＩデータを選択する選択状態１から、他のコンテンツデータを選択する選択状態２〜４に変更されるか否か（変更されたか否か）を判断する（Ｓ２）。選択状態２〜４に変更される場合（Ｓ２でＹＥＳ）、システム制御部３３は、ＣＥＣラインを介して、ＡＶアンプ２０のシステム制御部２３に対して、セレクタ回路の選択状態がＡＶアンプ以外の他の選択状態に変更される旨の通知を送信する（Ｓ３）。
【００６５】
［ＡＶアンプ２０の動作］
図４は、ＡＶアンプ２０のシステム制御部２３の処理を示すフローチャートである。システム制御部２３は、ディスプレイ装置３０のシステム制御部３３からＣＥＣラインを介してコマンドを受信した場合（Ｓ１１でＹＥＳ）、コマンドが、ディスプレイ装置３０が電源オフ状態になる旨の通知、又は、セレクタ回路の選択状態がＡＶアンプ以外の他の選択状態に変更される旨の通知であるか否かを判断する（Ｓ１２）。
【００６６】
コマンドが、ディスプレイ装置３０が電源オフ状態になる旨の通知、又は、セレクタ回路の選択状態がＡＶアンプ以外の他の選択状態に変更される旨の通知である場合（Ｓ１２でＹＥＳ）、システム制御部２３は、ディスプレイ装置３０からのホットプラグ信号がローレベルからハイレベルになったときに、自身がディスプレイ装置３０とのＨＤＣＰ認証に失敗し、その結果、ＤＶＤプレーヤ１０が自身とのＨＤＣＰ認証に失敗すると判断する。
【００６７】
そこで、システム制御部２３は、ＨＤＭＩデータのディスプレイ装置３０への出力を停止するようにＨＤＭＩ送信部２２を制御する（Ｓ１３）。そして、システム制御部２３は、ＤＶＤプレーヤ１０に対するホットプラグ信号をローレベルにする（Ｓ１４）。続いて、システム制御部２３は、ＨＤＭＩ受信部２１のレジスタ２１ａ内のリピータービットを、リピーター機器を示す「１」から、シンク機器を示す「０」に変更する（Ｓ１５）。続いて、システム制御部２３は、ＤＶＤプレーヤ１０に対するホットプラグ信号をハイレベルにする（Ｓ１６）。これにより、ＤＶＤプレーヤ１０に対してＡＶアンプ２０への再認証を促すと共に、ＡＶアンプ２０がシンク機器であることを認識させ、ＡＶアンプ２０がディスプレイ装置３０と認証できない状態でも、ＨＤＭＩデータがＡＶアンプ２０に送信されるように、ＤＶＤプレーヤ１０を制御する。
【００６８】
［ＤＶＤプレーヤ１０の動作］
図５は、ＤＶＤプレーヤ１０のシステム制御部１４および／またはＨＤＭＩ送信部１３の処理を示すフローチャートである。ＡＶアンプ２０からのホットプラグ信号がローレベルからハイレベルになると（Ｓ２１でＹＥＳ）、ＨＤＭＩ送信部１３は、ＡＶアンプ２０のレジスタ２１ａから、ＡＶアンプ２０の認証情報とリピータービットとを読み出す（Ｓ２２）。続いて、ＨＤＭＩ送信部１３は、読み出したリピータービットがリピーター機器を示す「１」であるか否かを判断する（Ｓ２３）。リピータービットが「１」である場合（Ｓ２３でＹＥＳ）、Ｓ２４〜Ｓ３０において、ＡＶアンプ２０の認証情報と、ディスプレイ装置３０の認証情報とによってＨＤＣＰ認証を行うが、詳細は上述の構成の説明の通りであるので、ここでは割愛する。
【００６９】
リピータービットが「０」である場合（Ｓ２３でＮＯ）、ＨＤＭＩ送信部１３は、ＡＶアンプ２０がシンク機器であり、さらに下流にはＨＤＭＩデータが送信される機器が接続されていないと判断する。その結果、ＨＤＭＩ送信部１３は、Ｓ２２で取得したＡＶアンプ２０の認証情報が正当であるかを確認して、正当であれば、ＡＶアンプ２０とのＨＤＣＰ認証に成功する（Ｓ２５）。
【００７０】
従って、ディスプレイ装置３０が電源オフ状態になり、又は、セレクタ回路３６の選択状態がＡＶアンプ２０以外に変更されるために、ＡＶアンプ２０がディスプレイ装置３０との認証に失敗する場合であっても、ＤＶＤプレーヤ１０はＡＶアンプ２０との認証を維持し、ＨＤＭＩデータを引き続きＡＶアンプ２０に送信する。従って、このような状態においても、ＡＶアンプは音声データをスピーカーに出力することができる。
【００７１】
以上、本発明の好ましい実施形態を説明したが、本発明はこれらの実施形態には限定されない。例えば、認証情報やリピータービットは、レジスタに登録されておらず、メモリ等に登録されていてもよい。また、ＨＤＭＩ送信部がＨＤＭＩ受信部から認証情報を取得して認証処理を実行しているが、ＨＤＭＩ送信部とＨＤＭＩ受信部とが相互に認証情報を交換し、認証処理を実行してもよい。また、認証処理は、システム制御部同士が実行してもよい。また、ＤＶＤプレーヤとディスプレイ装置との間に、複数台のＡＶアンプが従属接続されている場合も同様である。また、上記の通知は、ＣＥＣラインを介して行われるのではなく、他の制御通信線やＩＥＥＥ１３９４やＵＳＢ等を介して行われてもよい。また、ＤＶＤプレーヤ、ＡＶアンプ、ディスプレイ装置の上記動作をコンピュータに実行させるためのプログラムおよびこれを記録した記録媒体という形態で提供されてもよい。また、ＡＶアンプ又はディスプレイ装置の上記動作の一部のみのプログラムを、ＡＶアンプやディスプレイ装置にファームウェアアップデートという形態で提供されてもよい。さらには、ＡＶアンプ又はディスプレイ装置の上記動作の一部のみのプログラムが格納されたＨＤＭＩ送信部、ＨＤＭＩ受信部、システム制御部などの電子部品という形態で提供されてもよい。
【産業上の利用可能性】
【００７２】
本発明は、ＡＶアンプおよびディスプレイ装置等に好適に採用され得る。
【図面の簡単な説明】
【００７３】
【図１Ａ】本発明の好ましい実施形態によるＤＶＤプレーヤ１０およびＡＶアンプ２０の構成を示すブロック図である。
【図１Ｂ】本発明の好ましい実施形態によるＡＶアンプ２０およびディスプレイ装置の構成を示すブロック図である。
【図２】セレクタ回路を説明する概略ブロック図である。
【図３】ディスプレイ装置３０の動作を説明するフローチャートである。
【図４】ＡＶアンプ２０の動作を説明するフローチャートである。
【図５】ＤＶＤプレーヤ１０の動作を説明するフローチャートである。
【符号の説明】
【００７４】
１０            ＤＶＤプレーヤ
２０            ＡＶアンプ
２１            ＨＤＭＩ受信部
２１ａ          レジスタ（機器情報記憶手段）
２２            ＨＤＭＩ送信部
２３            システム制御部
２５            ＰＲＯＭ
３０            ディスプレイ装置
３１            ＨＤＭＩ受信部
３１ａ          レジスタ
３３            システム制御部
【図１Ａ】
0005055651.tif 000002
【図１Ｂ】
0005055651.tif 000003
【図２】
0005055651.tif 000004
【図３】
0005055651.tif 000005
【図４】
0005055651.tif 000006
【図５】
0005055651.tif 000007